(57)【要約】      （修正有）【課題】手軽に，安全に，経済的に使用できるとともに，展示しようとするものの裏側に貼ることにより，任意の傾きでスタンドを立てることができる，２枚の紙質又は樹脂膜片等の板状材を使用した，簡単スタンドを提供する。【解決手段】長さと厚さの異なる２枚の帯状の長方形の紙質又は樹脂膜片等の板状材を，それぞれ２つ折りにし，下部を貼り合わせることにより，開閉脚が可能な支脚部２を設けた簡単スタンドであることを特徴とする。この簡単スタンドの表台紙に，予め弱性の両面テ−プ等のシ−ルを貼っておき，使用時には，このシ−ルを剥がして展示しようとするものの裏側に貼りつけることによりスタンドとして使用することが可能である。また，不用になったら引き剥がせばよい。【選択図】図４
0003133158.tif 000002
【実用新案登録請求の範囲】
【請求項１】
厚めの帯状の長方形の紙質又は樹脂膜片等の１枚の板状材及び薄めの帯状の長方形の紙質又は樹脂膜片等の１枚の板状材を，それぞれ２つ折りにして作る，開閉脚が可能な支脚部を有する簡単スタンドであり，
（１）厚めの帯状の紙を２つ折りにし，片方を表台紙とし，片方を裏台紙兼支脚部とする。
（２）薄めの帯状の紙は，（１）の紙の，おおよそ２分の１の長さとし，２つ折りにして，（１）の内側に挟みこみ，下部を貼り合わせることにより，補助支脚部を形成する。
（３）（１）の台紙の上部に，予め吊るし用の適当な大きさの穴を空けておく。
（４）（１）の表台紙の表面には，展示しようとするものと合体させるため，適当な長さと幅を有する弱性の両面テ−プ等のシ−ルを貼る。
以上の構成からなる，２枚の紙等で作る，開閉脚が可能な支脚部を設けた吊るし使用することもできる簡単スタンド。
【請求項２】
請求項１記載の帯状の長方形の紙質又は樹脂膜片等の２枚の板状材において，
（１）２つ折りにした厚めの帯状の紙のうち，表台紙は展示しようとするものと合体させるための台紙の役割を，裏台紙は開閉脚が可能な支脚部の役割を担わせる。
（２）２つ折りにした薄めの帯状の紙は，両外側の下部に適当な幅の糊代を取り，（１）の台紙の両内側に貼り付けることにより，自由に開脚角度を調節でき，一定角度以上の開脚の防止が可能である補助支脚部の役割を担わせる。
（３）支脚部のより安定した開脚角度の保持を図るため，（２）の補助支脚部の上部折曲部を３等分する位置において，頂点から適当な長さを有する２本の垂線を切り下げる。
これにより，３つの頂点部が形成されるが，そのうちの中央部分を，頂点が逆さまになるよう内側に２つ折りにする。
（４）表台紙の表面には，必要に応じて展示しようとするものと合体させるため，適当な長さと幅を有する弱性の両面テ−プ等のシ−ルを貼っておき，使用時にはシ−ルを剥がし，展示しようとするものの裏側に貼り付ける。
（５）使用時には，支脚部を開く。また，非使用時には，閉脚することにより平坦になる。
また，スタンドとしての使用を中止する時は，引きはがす。
以上の構成からなる，２枚の紙等で作る，手軽に使用でき，軽くて丈夫なことを特徴とする請求項１記載の簡単スタンド。
【考案の詳細な説明】
【技術分野】
【０００１】  この考案は，２枚の紙を２つ折りにして作る簡単スタンドで，自由に開閉する支脚部を設けており，展示しようとするものの裏側に貼ることにより，任意の傾きでスタンドを立てることができ，さらに吊るすこともできる，紙質又は樹脂膜片等の板状材を使用した，手軽に使用できる軽くて丈夫な簡単スタンドに関するものである。
【背景技術】
【０００２】  従来，写真やポストカ−ド等を立てて展示しようとする場合，そのものを立てる道具がなく，紙や木製等のスタンドを使うしかなく，手軽に使用できるスタンドは見当たらない。
【考案が解決しょうとする課題】
【０００３】  これらは，次のような問題点があった。
木，樹脂製の支脚部を有したものは，必要以上に頑丈な構造になっており，値段も高くなっている。
また，スタンドの組立に手間と時間を要し，さらに，写真等の差し替えに手間がかかる。
本考案は，以上のような欠点をなくし，展示しようとするものの裏側に貼るだけで使えるもので，手軽に，安全に，経済的に使用できるようにしたものである。
【課題を解決するための手段】
【０００４】（１）厚めと帯状の長方形の紙質又は樹脂膜片等の板状材を１枚及びおおよそ２分の１の長さを有する薄めの帯状の長方形の紙質又は樹脂膜片等の板状材を１枚用意する。
（２）厚めの帯状の紙を縦長の状態で２つ折りにし，片方を表台紙とし，片方を裏台紙兼支脚部とする。
表台紙は展示しようとするものと合体させるための台紙の役割を，裏台紙は開閉脚が可能な支脚部の役割を担わせる。
（３）薄めの帯状の紙を縦長の状態で２つ折りにし，支脚部を補完する補助支脚部とする。
このため，両外側の下部に適当な幅の糊代を取り，（１）の台紙の両内側に貼り付けることにより，自由に開脚角度を調節でき，一定角度以上の開脚の防止が可能である補助支脚部が形成される。
（４）支脚部のより安定した開脚角度の保持を図るため，（３）の補助支脚部の上部折曲部に，頂点から適当な長さを有する２本の垂線を切り下げる。
これにより，３つの頂点部が形成されるが，そのうちの中央部分を，頂点が逆さまになるよう内側に２つ折りにする。
（５）表台紙の表面には，必要に応じて展示しようとするものと合体させるため，適当な長さと幅を有する弱性の両面テ−プ等のシ−ルを貼っておき，使用時にはシ−ルを剥がし，展示しようとするものの裏側に貼り付ける。
（６）使用時には．支脚部を開く。また，非使用時には，閉脚することにより平坦になる。
また，スタンドとしての使用を中止する時は，引きはがす。
【考案を実施するための最良の形態】
【０００５】  以下，本考案を実施するための最良の形態について説明する。
（１）写真等を立てて展示しようとする場合，簡単スタンドの表台紙のシ−ルを剥がし，写真等の裏側に貼り付け，支脚部を開く。
（２）写真等のスタンドの傾き角度は，支脚部の開きの大小により調節する。
内蔵式の補助支脚により，一定以上の開脚は防止されるとともに，必要な角度での開脚が保持される。
（３）写真等のスタンドをしまう場合は，支脚部を閉じる。
これにより，平坦な１枚の板状体となる。
【考案の効果】
【０００６】  デジカメ，プリンタ−の急激な普及等により，写真の愛好者が増えている。
特に，カ−ドサイズやミニサイズの写真をプリントして楽しむ人も多い。
写真は，撮る楽しみ，見る楽しみ，飾る楽しみ，人にあげる楽しみがあり，そのための器材は整っているが，手軽に，安全に，経済的に使用できるスタンドは見当たらない。
また，ポストカ−ド，絵手紙，絵葉書等も，人気があるものの，手軽に，安全に，経済的に使用できるスタンドは見当たらない。
市販されている各種スタンドは，使用する際に手間がかかり，さらに，写真等のはめ込みにも手間と時間を要する等，手軽には使えない。
本考案の簡単スタンドは，裏面の貼り付けた支脚部が開いたり閉じたりする構造で，使用時には内蔵されている補助支脚に支えられた支脚部が台紙を保持し，
また，非使用時には平坦になる等，デザイン的にもすっきりしている。
本考案は，次のような特徴をもっている。
（１）手軽に使える。必要な時は貼りつけ，不用になったら剥がせばよい。
（２）何回でも使える。
（３）軽く，薄く，丈夫である。
（４）安価である。
さらに，この簡単スタンドの応用例としては，
（１）２枚の紙等を２つ折りにして作る簡単スタンドは，目的に合った各種サイズや材質のものを用意することにより，プライスカ−ド，ネ−ムカ−ドから写真やポストカ−ド等の展示物まで，各種の展示物を簡単に展示することができる。
（２）２枚の帯状の紙等を２つ折りにして作る簡単スタンドは，２つ折りにした紙等について，折曲部の幅を短くして扇状の台形にすることにより，より安定したスタンドとなる。
（３）適当な大きさを有する厚手の紙等を２つ折りにし，その裏側にこの簡易スタンドを貼りつけることにより，両面利用スタンドとなる。
（４）この簡単スタンドを，適当な大きさの台紙に予め貼り付けておき，必要に応じて使うこともでき，不用になれば元の台紙に戻せばよい。
ポストカ−ドブック等に挟み込んでもよい。
（５）補助支脚については，長さの異なる２枚の帯状の紙をそれぞれ二つ折りにし，長めのものを上部に，短めのものを下部に使用することにより，二段式のより丈夫な補助支脚部が構成される。
【図面の簡単な説明】
【０００７】
【図１】  本考案の簡単スタンドの正面図である。
【図２】  本考案の簡単スタンドの背面図である。
【図３】  本考案の簡単スタンドの側面図である。
【図４】  本考案の簡単スタンドの斜視図である。
【符号の説明】
【０００８】  １  表台紙
２  裏台紙兼支脚部
３  補助支脚
４  シ−ル（両面テ−プ）
【図１】
0003133158.tif 000003
【図２】
0003133158.tif 000004
【図３】
0003133158.tif 000005
【図４】
0003133158.tif 000006